(57)【要約】【課題】  身体を楽に洗える【解決手段】駆動モーター（３）に取り付けている偏心円（１４）を偏心円受けプレート（４）に挿入して、回転運動を上下往復運動に変換してギヤボックス（２）からの吊り下げロープ（９）を上げ下げして、身体を洗うブラシ（５）で自分の洗いたい所を洗うことが出来る。【選択図】  図１
2005261872.tif 000002
【特許請求の範囲】
【請求項１】
身体を洗うブラシが背中側を洗う時と、身体の両側を洗う時に、身体を洗うブラシの角度を変える事ができるのを特徴とするからだ洗い機。
【請求項２】
身体を洗うブラシが上下の往復運動を繰り返しながら昇降し、身体を洗うことができることを特徴とするからだ洗い機。
【発明の詳細な説明】
【発明の詳細な説明】
【技術分野】
【０００１】  本発明は、駆動モーター（３）により回転されるＬ型アーム（２０）とジョイントアーム（１９）の連結によって、ブラシ（５）のバックプレート（４）が上下の往復運動を行うその製造方法に関する。
【発明が解決しようとする課題】
【０００２】  従来の洗い方では、自分の手を動かして身体を洗うと言う疲れる点があった。
【０００３】  本発明は身体の前、身体の後ろ、身体の両側をブラシ（５）の角度を変えて洗い、上下往復運動を繰り返しながら昇降し身体を一通り洗うことを目的としており、その製造方法を提供することを目的としている。
【課題を解決するための手段】
【０００４】    上記目的を達成するために本発明の身体洗い機は、浴室の角に取付ける三角形のコンパクトな身体洗い機である。
【０００５】      駆動モーター（３）は防水で、連結部は回転運動を上下の往復運動に変換するためにＬ型（２０）アームとジョイントアーム（１９）を使用。バックプレート（４）はサイドローラー（１０）を介してサイドレール（７）の中を上下に移動できる。
【発明を実施するための最良の形態】
【０００６】  発明の実施の形態を実施例に基づき図面を参照して説明する。
本体フレーム（１）はバックプレート（４）のサイドレール（７）と駆動モーター（３）のサイドレール（８）と駆動モーター（３）のバックレール（１１）の合計５本の柱と上板と下板で構成している。駆動モーター（３）は回転運動を上下の往復運動に変換する時、横揺れ、縦揺れ、ネジレ等に対処するために駆動モーターの両側（１３）と後ろ側（１２）に上下できるだけ距離を離して２個ずつ、合計６個の固定輪を取付け横揺れ、縦揺れ、ネジレに対応、駆動モーター（３）の回転運動をＬ型アーム（２０）とジョイントアーム（１９）とを介して上下往復運動に変換。バックプレート（４）は往復運動がスムーズに出来るようにサイドローラー（１０）を入れてサイドレール兼フレーム（７）の中に収まっている。ブラシ（５）は両面に毛を植えて、バックプレート（４）に対して並行の状態の時は身体の前側と後側を洗うことが出来、バックプレート（４）に対して直角の時は脇や股間を洗うことが出来る。
操作の切り替えは、ブレ止めピン（２１）を抜いてブラシ（５）の位置を回してブレ止めピン（２１）を挿す。
この上下往復洗い装置を昇降しているのが吊り下げロープを介して上板に取付けられている、巻き上げ駆動モーター（１５）とギヤボックス（２）である。
【図面の簡単な説明】
【図１】  身体洗い機本体の斜視図である。
【図２】  身体洗い機の立面図である。
【図３】  図２のＡ−Ａ断面図である。
【図４】  身体洗い機の平面図である。
【図５】  駆動モーター（３）の回転運動を上下往復運動に変える変換部分の図である
【図６】  図２のＢ−Ｂ断面図である。
【図７】  モーター（３）からブラシ（５）までの駆動の連結状態とブラシ（５）が身体洗い機本体に対して直角になった図である。
【図８】  モーター（３）からブラシ（５）までの駆動の連結状態とブラシ（５）が身体洗い機本体に対して並行になった図である。
【図９】  ブラシ（５）がバックプレート（４）に対して並行の状態でブレ止めピン（２１）を挿し込む図である。
【図１０】  ブラシ（５）がバックプレート（４）に対して直角の状態でブレ止めピン（２１）を挿し込む図である。
【図１１】  ブラシ（５）で脇を洗っている図である。
【図１２】  ブラシ（５）で背中を洗っている図である。
【符号の説明】
１  身体洗い機本体のフレーム
２  ギヤボックス
３  ブラシの駆動モーター
４  ブラシ（５）のバックプレート
５  ブラシ
６  ブラシ（５）の取付けブラケット
７  バックプレート（４）のサイドレール兼本体フレーム
８  駆動モーター（３）のサイドレール兼本体フレーム
９  吊り下げロープ
１０  バックプレート（４）のサイドローラー
１１  駆動モーター（３）のバックレール兼本体フレーム
１２  駆動モーター（３）の後ろ側固定輪
１３  駆動モーター（３）のサイド側固定輪
１４  ブレ止め穴
１５  巻き上げ駆動モーター
１６  吊り下げロープ通し穴
１７  巻き上げ駆動モーターギヤ
１８  吊り下げプーリー用ギヤ
１９  ジョイントアーム
２０  Ｌ型アーム
２１  ブレ止めピン
【図１】
2005261872.tif 000003
【図２】
2005261872.tif 000004
【図３】
2005261872.tif 000005
【図４】
2005261872.tif 000006
【図５】
2005261872.tif 000007
【図６】
2005261872.tif 000008
【図７】
2005261872.tif 000009
【図８】
2005261872.tif 000010
【図９】
2005261872.tif 000011
【図１０】
2005261872.tif 000012
【図１１】
2005261872.tif 000013
【図１２】
2005261872.tif 000014
【手続補正書】
【提出日】平成16年11月24日(2004.11.24)
【手続補正１】
【補正対象書類名】特許請求の範囲
【補正対象項目名】全文
【補正方法】変更
【補正の内容】
【書類名】    特許請求の範囲【請求項１】身体を洗うブラシが背中側を洗う時と、身体の両側を洗う時に、身体を洗うブラシの角度を変える事ができるのを特徴とするからだ洗い機。【請求項２】身体を洗うブラシが上下の往復運動を繰り返しながら昇降し、身体を洗うことができることを特徴とするからだ洗い機。【請求項３】モーターの回転運動を変換して往復運動にし、その往復運動の部分に身体を洗うブラシを取り付けている事を特徴とするからだ洗い機。【手続補正書】
【提出日】平成17年2月9日(2005.2.9)
【手続補正１】
【補正対象書類名】明細書
【補正対象項目名】全文
【補正方法】変更
【補正の内容】
【書類名】明細書    【発明の名称】からだ洗い機  楽楽ＩＶ    【発明の詳細な説明】    【０００１】    【技術分野】  本発明は、駆動モーター（３）により回転される偏心円（１４）と偏心円受けプレート（４）の嵌合によって、ブラシ（５）が上下の往復運動を行うその製造方法に関する。    【０００２】    【発明が解決しようとする課題】  従来の洗い方では、自分の手を動かして身体を洗うと言う疲れる点があった。    【０００３】  本発明は身体の前、身体の後ろ、身体の両側をブラシ（５）の角度を変えて洗い、上下往復運動を繰り返しながら昇降し身体を一通り洗うことを目的としており、その製造方法を提供することを目的としている。    【０００４】    【課題を解決するための手段】    上記目的を達成するために本発明の身体洗い機は、浴室の角に取付ける三角形のコンパクトな身体洗い機である。    【０００５】駆動モーター（３）は防水で、嵌合部は回転運動を上下の往復運動に変換するために偏心円（１４）と偏心円受けプレート（４）を使用。偏心円受けプレート（４）はサイドローラー（１０）を介してサイドレール（７）の中を上下に移動できる。    【０００６】    【発明を実施するための最良の形態】  発明の実施の形態を実施例に基づき図面を参照して説明する。  本体フレーム（１）は偏心円受けプレート（４）のサイドレール（７）と駆動モーター（３）のサイドレール（８）と駆動モーター（３）のバックレール（１１）の合計５本の柱と上板と下板で構成している。駆動モーター（３）は回転運動を上下の往復運動に変換する時、横揺れ、縦揺れ、ネジレ等に対処するために駆動モーターの両側（１３）と後ろ側（１２）に上下できるだけ距離を離して２個ずつ、合計６個の固定輪を取付け横揺れ、縦揺れ、ネジレに対応、駆動モーター（３）の回転運動を偏心円（１４）と偏心円受けプレート（４）を介して上下往復運動に変換。図８のＤは偏心円（１４）が駆動モーターのシャフト（２０）を中心に回転する外径で、図１０は１枚のプレート（４）の内側に、縦は図８のＥの長さに切断し、横は図８のＤの長さに切断し、穴をあけその中に偏心円（１４）を挿入し、回転すると偏心円（１４）は横には自由に移動できる。しかし縦には移動できないのでプレート（４）を図８のＦの長さ分を持ち上げ、持ち下げる。偏心円受けプレート（４）は上下の往復運動がスムーズに出来るように図８の偏心円（１４）の外周にベアリング（１９）を挿入し、サイドローラー（１０）を入れてサイドレール兼フレーム（７）の中に収まっている。ブラシ（５）は両面に毛を植えて偏心円受けプレート（４）に対して平行の状態の時は身体の前側と後ろ側を洗うことが出来る。偏心円受けプレート（４）に対して直角の時は脇や股間を洗うことが出来る。操作の切り替えは、ブレ止めピン（２１）を引いてブラシ（５）の位置を回してブレ止めピン（２１）を押す。  この上下往復洗い装置を昇降しているのが、吊り下げロープを介して上板に取付けられている巻き上げ駆動モーター（１５）とギヤボックス（２）である。    【図面の簡単な説明】    【図１】身体洗い機本体の斜視図である。    【図２】身体洗い機の立面図である。    【図３】図２のＡ−Ａ断面図である。    【図４】身体洗���機の平面図である。    【図５】駆動モーター（３）に偏心円を取付けた図である。    【図６】偏心円受けプレート（４）の斜視図である。    【図７】図２のＢ−Ｂ断面図である。    【図８】偏心円の回転図である。    【図９】偏心円と偏心円受けプレートの斜視図である。    【図１０】偏心円受けプレートの上下往復運動の説明図である。    【図１１】偏心円を水平にして使用した時、ブラシ（５）の水平方向の往復運動のブ ラシ部分の立面図である。    【図１２】モーター（３）からブラシ（５）までの駆動の伝達状態と、ブラシ（５） が身体洗い機本体に対して直角になった図である。    【図１３】モーター（３）からブラシ（５）までの駆動の伝達状態と、ブラシ（５） が身体洗い機本体に対して平行になった図である。    【図１４】ブラシ（５）が偏心円受けプレート（４）に対して平行の状態の斜視図で ある。    【図１５】ブラシ（５）が偏心円受けプレート（４）に対して直角の状態の斜視図で ある。    【図１６】ブラシ（５）で脇を洗っている図である。    【図１７】ブラシ（５）で背中を洗っている図である。    【符号の説明】１  身体洗い機本体のフレーム２  ギヤボックス３  ブラシの駆動モーター４偏心円受けプレート５  ブラシ６  ブラシ（５）の取り付けブラケット７偏心円受けプレート（４）のサイドレール兼本体フレーム８  駆動モーター（３）のサイドレール兼本体フレーム９  吊り下げロープ１０偏心円受けプレート（４）のサイドローラー１１駆動モーター（３）のバックレール兼本体フレーム１２駆動モーター（３）の後ろ側固定輪１３駆動モーター（３）のサイド側固定輪１４偏心円１５巻き上げ駆動モーター１６吊り下げロープ通し穴１７巻き上げ駆動モーターギヤ１８吊り下げプーリー用ギヤ１９ベアリング２０駆動モーター（３）のシャフト２１ブラシ（５）のブレ止め【手続補正２】
【補正対象書類名】図面
【補正対象項目名】全図
【補正方法】変更
【補正の内容】
【図１】
2005261872.tif 000015
【図２】
2005261872.tif 000016
【図３】
2005261872.tif 000017
【図４】
2005261872.tif 000018
【図５】
2005261872.tif 000019
【図６】
2005261872.tif 000020
【図７】
2005261872.tif 000021
【図８】
2005261872.tif 000022
【図９】
2005261872.tif 000023
【図１０】
2005261872.tif 000024
【図１１】
2005261872.tif 000025
【図１２】
2005261872.tif 000026
【図１３】
2005261872.tif 000027
【図１４】
2005261872.tif 000028
【図１５】
2005261872.tif 000029
【図１６】
2005261872.tif 000030
【図１７】
2005261872.tif 000031
【手続補正４】
【補正対象書類名】特許請求の範囲
【補正対象項目名】全文
【補正方法】変更
【補正の内容】
【特許請求の範囲】
【請求項１】
身体を洗うブラシが背中側を洗う時と、身体の両側を洗う時に、身体を洗うブラシの角度を変えることが出来るのを特徴とするだ洗い機。
【請求項２】
身体を洗うブラシが上下の往復運動を繰り返しながら昇降し、身体を洗うことができることを特徴とするからだ洗い機。
【請求項３】
モーターの回転運動を変換して往復運動にし、その往復運動の部分に身体を洗うブラシを取り付けている事を特徴とするからだ洗い機。
【請求項４】
身体を洗うブラシの駆動モーターの回転運動を往復運動に変換するのに偏心円を使用。
【請求項５】
身体を洗うブラシの駆動モーターに取り付けた偏心円を縦にして使用した時は、ブラシは上下の往復運動になる。駆動モーターに取り付けた偏心円を水平にして使用した時はブラシは水平方向の往復運動になる。